(57)【要約】【課題】羽根車が安定的に回転する複箱式計量装置を提供する。【解決手段】内ケース１４の下段に複数の流入ノズル４１Ａ〜４１Ｈと、内ケース１４の上段に複数の流出ノズルと、内ケース１４内に羽根車１８を回転自在にそなえた複箱式水道メータにおいて、流入ノズル１４の断面積を外ケース１０の流入側から流出側に向かって順次、大きくする。【選択図】　　　　図５
2004053484.tif 000002
【特許請求の範囲】
【請求項１】
内ケースの下段に複数の流入ノズルと、前記内ケースの上段に複数の流出ノズルと、前記内ケース内に回転自在に設けた羽根車をそなえた複箱式計量装置において、
前記流入ノズルの断面積を外ケースの流入側から流出側に向かって順次、大きくすることを特徴とする、複箱式計量装置。
【請求項２】
前記流出ノズルの流れの方向が流出側に向いている程度が小さいほど、前記流出ノズルの断面積を大きくすることを特徴とする、請求項１に記載の複箱式計量装置。
【請求項３】
内ケースの下段に複数の流入ノズルと、前記内ケースの上段に複数の流出ノズルと、前記内ケース内に回転自在に羽根車をそなえた複箱式計量装置において、
外ケース内で前記内ケースを偏心させることを特徴とする、複箱式計量装置。
【請求項４】
内ケースの下段に複数の流入ノズルと、前記内ケースの上段に複数の流出ノズルと、前記内ケース内に羽根車をそなえた複箱式計量装置において、
前記流入ノズルの流れの方向が内ケースの外側から内側へ上向きになるように前記流入ノズルを設け、かつ、前記流出ノズルの流れの方向が内ケースの内側から外側へ上向きになるように前記流出ノズルを設けることを特徴とする、複箱式計量装置。
【請求項５】
前記流入ノズルの断面積を外ケースの流入側から流出側に向かって順次、大きくすることを特徴とする、請求項４に記載の複箱式計量装置。
【請求項６】
前記流入ノズルの断面積を前記外ケースの流入側から流出側に向かって順次、大きくし、かつ、前記流出ノズルの流れの方向が流出側に向いている程度が小さいほど、前記流出ノズルの断面積を大きくすることを特徴とする、請求項４に記載の複箱式計量装置。
【請求項７】
外ケース内で前記内ケースを偏心させるように設けることを特徴とする、請求項４に記載の複箱式計量装置。
【発明の詳細な説明】
【０００１】
【発明の属する技術分野】
この発明は、被計量流体の通過流量を測定する複箱式計量装置及び計量を必要とする流量計に関する。
【０００２】
【従来の技術】
従来のこの種の複箱式計量装置では、外ケースの流入口から流入した被計量流体が、内ケースの下段に設けられた流入断面積の等しい複数の流入ノズルより内ケース内に流入し、内部にそなえられた羽根車を回転させる。そして、内ケースの上段に設けられた流出断面積の等しい複数の流出ノズルより内ケースの外に流出し、外ケースの流出口より流出するようになっている。
【０００３】
【発明が解決しようとする課題】
しかしながら、このような従来の複箱式計量装置では、外ケースの流出口側にある流入ノズルに流入する流速は、外ケースの流入口側にある流入ノズルに流入する流速よりも小さくなる。したがって、各流入ノズルから内ケース内への単位時間あたりの流入量にばらつきが生じて、羽根車の回転が不安定となり、羽根車が偏心して回転するので、回転軸の軸受が偏摩耗するという問題があった。
【０００４】
そこで、本発明の目的は、羽根車が安定的に回転する複箱式計量装置を提供することにある。
【０００５】
【課題を解決するための手段】
請求項１に記載の発明は、内ケースの下段に複数の流入ノズルと、前記内ケースの上段に複数の流出ノズルと、前記内ケース内に回転自在に設けた羽根車をそなえた複箱式計量装置において、前記流入ノズルの断面積を外ケースの流入側から流出側に向かって順次、大きくすることを特徴とする。
【０００６】
請求項２に記載の発明は、請求項１に記載の複箱式計量装置において、前記流出ノズルの流れの方向が流出側に向いている程度が小さいほど、前記流出ノズルの断面積を大きくすることを特徴とする。
【０００７】
請求項３に記載の発明は、内ケースの下段に複数の流入ノズルと、前記内ケースの上段に複数の流出ノズルと、前記内ケース内に回転自在に羽根車をそなえた複箱式計量装置において、外ケース内で前記内ケースを偏心させることを特徴とする。
【０００８】
請求項４に記載の発明は、内ケースの下段に複数の流入ノズルと、前記内ケースの上段に複数の流出ノズルと、前記内ケース内に羽根車をそなえた複箱式計量装置において、前記流入ノズルの流れの方向が内ケースの外側から内側へ上向きになるように前記流入ノズルを設け、かつ、前記流出ノズルの流れの方向が内ケースの内側から外側へ上向きになるように前記流出ノズルを設けることを特徴とする。
【０００９】
請求項５に記載の発明は、請求項４に記載の複箱式計量装置において、前記流入ノズルの断面積を外ケースの流入側から流出側に向かって順次、大きくすることを特徴とする。
【００１０】
請求項６に記載の発明は、請求項４に記載の複箱式計量装置において、前記流入ノズルの断面積を前記外ケースの流入側から流出側に向かって順次、大きくし、かつ、前記流出ノズルの流れの方向が流出側に向いている程度が小さいほど、前記流出ノズルの断面積を大きくすることを特徴とする。
【００１１】
請求項７に記載の発明は、請求項４に記載の複箱式計量装置において、外ケース内で前記内ケースを偏心させるように設けることを特徴とする。
【００１２】
【発明の実施の形態】
＜第１実施例＞
以下、図面を参照しつつ、この発明の実施の形態につき説明する。図１には、この発明による複箱式計量装置の一例としての複箱式接線流羽根車式水道メータの縦断面を示す。
【００１３】
図中符号１０は、外ケースである。外ケース１０には、流水口１１として流入口１１ａと流出口１１ｂを設け、そのうち流入口１１ａ内にはストレーナ１２を取り付ける。また、底面には、十字状に突出して水平設置支え１３を形成する。
【００１４】
外ケース１０内には、内ケース１４を収納する。内ケース１４には、それぞれ複数の流入ノズル４１と流出ノズル４２を設け、内部中心にはピボット１６を立てる。
【００１５】
内ケース１４内には、ピボット１６に載置して、軸上部にマグネット１７を有する羽根車１８を回転自在に設け、その上に下ガスケット１９を挟んで指示ユニット２０を組付ける。そして、内ケース１４内には、羽根車１８を収納する。
【００１６】
指示ユニット２０には、レジスタボックス２１、下台板２２、上台板２３、窓枠２４、マグネット２５を有するマグネット歯車２６、歯車列２７、指針２８、数字車２９、Ｏリング３１を挟んで取り付けるガラス板３０を設ける。そして、レジスタボックス２１の底壁を挟んでマグネット２５を羽根車１８のマグネット１７と対向し、マグネットカップリングＭを構成する。
【００１７】
指示ユニット２０上には、上ガスケット３２を挟んで上ケース３３を取り付け、外ケース１０にねじ付ける。上ケース３３には、ピン３４により蓋３５を上下に開閉自在に取り付ける。
【００１８】
そして、ストレーナ１２で異物を取り除きながら流入口１１ａから外ケース１０内に被計量流体としての水道水を流入し、複数の流入ノズル４１を通して内ケース１４内に入れ、羽根車１８を回転させて、流出ノズル４２から出し、流出口１１ｂから外ケース１０外に流出する。その羽根車１８の回転をマグネットカップリングＭを介してマグネット歯車２６へと伝達し、歯車列２７を介して伝達して指針２８を回し、また数字車２９を回転して、指示ユニット２０で、水道メータを通過した水道水の積算流量値を表示する。
【００１９】
ところで、内ケース１４は、詳しくは、図２のようになっている。すなわち、内ケース１４は、円筒形の側部１４Ａと円板状の底部１４Ｂとからなる。その側部１４Ａの下段には複数の流入ノズル４１を設け、側部１４Ａの上段には複数の流出ノズル４２を設ける。
【００２０】
この流入ノズル４１は、図３に示すように、側部１４Ａの内周面上に開口４１ａを、外周面上に開口４１ｂを形成する。そして、開口４１ｂの中心から開口４１ａの中心に向かう方向を流れの方向４１ｃとする。また、開口４１ａの側縁４１ｅにおいて、流れの方向４１ｃに垂直な面を流入ノズル４１の断面４１ｄとする。
【００２１】
同様に、流出ノズル４２は、図４に示すように、側部１４Ａの内周面上に開口４２ａを、外周面上に開口４２ｂを形成する。そして、開口４２ａの中心から開口４２ｂの中心に向かう方向を流れの方向４２ｃとする。また、開口４２ａの側縁４２ｅにおいて、流れの方向４２ｃに垂直な面を流出ノズル４２の断面４２ｄとする。
【００２２】
このように構成された複箱式水道メータにおける水道水の流れについて説明する。図５において、流入口１１ａより流入した水道水は、内ケース１４の底面の流れと側面の流れに分かれる。さらに、側面の流れは、内ケース１４の手前で２つの流れＳ１，Ｓ２に分かれる。流れＳ１は、外ケース１０と内ケース１４との間に形成された流路に沿って流れ、そのうちの一部が流入ノズル４１Ａ〜４１Ｄに順次流入していく。
【００２３】
この間、流れＳ１は、外ケース１０の内面と内ケース１４の外面からそれぞれ摩擦抵抗を受けて流速が減少するとともに、順次、流入ノズル４１Ａ，４１Ｂ，４１Ｃ，４１Ｄに流入することにより、流量が減少する。したがって、流入ノズル４１Ｂ，４１Ｃの断面の面積（断面積）を流入ノズル４１Ａの断面積よりも５０％大きくし、流入ノズル４１Ｄの断面積を流入ノズル４１Ａの断面積よりも１００％大きくすることにより、流入ノズル４１Ｂ，４１Ｃ，４１Ｄそれぞれの単位時間あたりの流入量を流入ノズル４１Ａと同程度とすることができる。
【００２４】
すなわち、流入ノズル４１Ａ〜４１Ｄの断面積を外ケース１０の流入側から流出側に向かって順次、大きくする。ここで、外ケース１０の流入側とは、外ケース１０に水道水が流入する側、つまり、流入口１１ａ側をいい、外ケース１０の流出側とは、外ケース１０から水道水が流出する側、つまり、流出口１１ｂ側をいう。
【００２５】
同様に、流れＳ２は、外ケース１０の内面と内ケース１４の外面からそれぞれ摩擦抵抗を受けて流速が減少するとともに、順次、流入ノズル４１Ｈ，４１Ｇ，４１Ｆ，４１Ｅに流入することにより、流量が減少する。したがって、流入ノズル４１Ｆ，４１Ｇの断面積を流入ノズル４１Ｈの断面積よりも５０％大きくし、流入ノズル４１Ｅの断面積を流入ノズル４１Ｈの断面積よりも１００％大きくすることにより、流入ノズル４１Ｅ，４１Ｆ，４１Ｇそれぞれの単位時間あたりの流入量を流入ノズル４１Ｈのそれと同程度とすることができる。すなわち、流入ノズル４１Ｅ〜４１Ｈの断面積を外ケース１０の流入側から流出側に向かって順次、大きくする。なお、このとき、流入ノズル４１Ａと流入ノズル４１Ｈの断面積は同一とする。
【００２６】
これにより、各流入ノズル４１Ａ〜４１Ｈは、単位時間あたりほぼ同量の水道水を流入することができるので、水道水が内ケース１４内の羽根車１８の羽根に均等に当り、羽根車１８を安定的に回転させることができる。
【００２７】
そして、羽根車１８を回転させながら上昇した水道水は、図６に示すように、流出ノズル４２Ａ〜４２Ｃより順次流出される。このとき、流出ノズル４２Ａ〜４２Ｃの流れの方向が流出側に向いている程度が小さいほど、流出ノズル４２Ａ〜４２Ｃの断面積を大きくする。すなわち、流出ノズル４２Ｂの断面積を流出ノズル４２Ａの断面積よりも５％大きくし、流出ノズル４２Ｃの断面積を流出ノズル４２Ａの断面積よりも１０％大きくすることにより、流出ノズル４２Ｂ，４２Ｃの単位時間あたりの流出量を流出ノズル４２Ａのそれと同程度とすることができる。
【００２８】
これにより、各流出ノズル４２Ａ〜４２Ｃは、単位時間あたり同程度の水道水を流出することができるので、内ケース１４内から均等に水道水が流出し、羽根車１８をより安定的に回転させることができる。
【００２９】
図７は、この例の複箱式接線流羽根車式水道メータと従来の複箱式接線流羽根車式水道メータとの器差性能の比較をした図である。この図から明らかなように、この例の複箱式接線流羽根車式水道メータは、均等な流入量により羽根車１８の回転がスムーズになり、微流量域における測定感度が向上し、かつ、耐久性の向上が期待できる。
【００３０】
なお、この例では、流入ノズル４１Ｂ，４１Ｃの断面積を流入ノズル４１Ａの断面積よりも５０％大きくし、流入ノズル４１Ｄの断面積を流入ノズル４１Ａの断面積よりも１００％大きくしたが、これに限定されるものではなく、流入ノズル４１Ｂ，４１Ｃの断面積を流入ノズル４１Ａの断面積よりも３０％〜７０％大きくし、流入ノズル４１Ｄの断面積を流入ノズル４１Ａの断面積よりも８０％〜１２０％大きくしてもよい。
【００３１】
一方、流入ノズル４１Ｆ，４１Ｇの断面積を流入ノズル４１Ｈの断面積よりも５０％大きくし、流入ノズル４１Ｅの断面積を流入ノズル４１Ｈの断面積よりも１００％大きくしたが、これに限定されるものではなく、流入ノズル４１Ｆ，４１Ｇの断面積を流入ノズル４１Ｈの断面積よりも３０％〜７０％大きくし、流入ノズル４１Ｅの断面積を流入ノズル４１Ｈの断面積よりも８０％〜１２０％大きくしてもよい。
【００３２】
さらに、流出ノズル４２Ｂの断面積を流出ノズル４２Ａの断面積よりも５％大きくし、流出ノズル４２Ｃの断面積を流出ノズル４２Ａの断面積よりも１０％大きくしたがこれに限定されるものではなく、流出ノズル４２Ｂの断面積を流出ノズル４２Ａの断面積よりも３％〜７％大きくし、流出ノズル４２Ｃの断面積を流出ノズル４２Ａの断面積よりも８％〜１２％大きくしてもよい。
【００３３】
＜第２実施例＞
次に、この発明による別の複箱式接線流羽根車式水道メータについて図８を用いて説明する。なお、この例の複箱式接線流羽根車式水道メータは、第１実施例の複箱式水道メータと比べて、内ケースの構成と取り付け位置が異なるのみであるので、その他の構成については、説明を省略する。
【００３４】
この例の内ケース５１に設けた８つの流入ノズル５１Ａ〜５１Ｈと図示しない複数の流出ノズルは、前述の例と異なり、すべて同一の断面積である。そして、外ケース１０内で内ケース５１を偏心させるように設ける。すなわち、まず、内ケース５１を流入側に偏心させる。次に、外ケース１０の内周面と内ケース５１の外周面との間に形成される流路が、水道水の流れに対して、羽根車１８の羽根が、順方向に回転する領域では狭く、逆方向に回転する領域では広くなるように偏心させる。
【００３５】
このとき、全ての流入ノズル５２Ａ〜５２Ｈに同量の水道水が流入するように、内ケース５１を、外ケース１０と内ケース５１との距離がＡにおいて最も狭く、Ｆにおいて最も広くなるように不均一に設ける。
【００３６】
すなわち、Ａにおける外ケース１０と内ケース５１との距離よりもＢにおける外ケース１０と内ケース５１との距離を広くし、Ｂにおける外ケース１０と内ケース５１との距離よりもＣにおける外ケース１０と内ケース５１との距離を広くするというように、順次、外ケース１０と内ケース５１との距離を広くしていく。
【００３７】
そして、Ｅにおいて、その距離を最大とした後、Ｆにおける外ケース１０と内ケース５１との距離をＥにおける外ケース１０と内ケース５１との距離よりも狭くし、Ｇにおける外ケース１０と内ケース５１との距離をＦにおける外ケース１０と内ケース５１との距離よりも狭くする。
【００３８】
このように構成された複箱式水道メータの外ケース１０内における水道水の流れについて説明する。
【００３９】
流入口１１ａより流入した水道水は、内ケース１４の底面の流れと側面の流れに分かれる。さらに、側面の流れは、内ケース１４の手前で２つの流れＳ３，Ｓ４に分かれる。流れＳ３は、外ケース１０と内ケース１４との間に形成された流路に沿って流れ、そのうちの一部が流入ノズル５２Ａ〜５２Ｄに順次流入していく。
【００４０】
この間、流れＳ３は、外ケース１０の内周面と内ケース１４の外周面からそれぞれ摩擦抵抗を受けて流速が減少するとともに、順次、流入ノズル５１Ａ，５１Ｂ，５１Ｃ，５１Ｄに流入することにより、流量が減少する。したがって、Ａにおける外ケース１０と内ケース５１との距離よりもＢにおける外ケース１０と内ケース５１との距離を広くし、Ｂにおける外ケース１０と内ケース５１との距離よりもＣにおける外ケース１０と内ケース５１との距離を広くするというように、順次、外ケース１０と内ケース５１との距離を広くすることによって、流入ノズル５１Ｂ〜５１Ｅにおける単位時間あたりの流入量を流入ノズル５１Ａとほぼ同じとすることができる。
【００４１】
同様に、流れＳ４は、外ケース１０の内面と内ケース５１の外面からそれぞれ摩擦抵抗を受けて流速が減少するとともに、順次、流入ノズル５１Ｈ，５１Ｇ，に流入することにより、流量が減少する。したがって、Ｇにおける外ケース１０と内ケース５１との距離よりもＦにおける外ケース１０と内ケース５１との距離を広くし、Ｆにおける外ケース１０と内ケース５１との距離よりもＥにおける外ケース１０と内ケース５１との距離を広くするというように、順次、外ケース１０と内ケース５１との距離を広くすることによって、流入ノズル５１Ｆ〜５１Ｈにおける単位時間あたりの流入量を流入ノズル５１Ａとほぼ同じとすることができる。
【００４２】
したがって、前記外ケース内で前記内ケースを偏心させることにより、単位時間あたりに流入ノズル５１Ａ〜５１Ｈにおける流入量をほぼ同一とすることができ、羽根車１８を安定的に回転し、微流量域において測定感度が向上し、耐久性の向上が期待できる複箱式水道メータを提供することができる。
【００４３】
そして、羽根車１８を回転させた水道水は、図示しない流出ノズルより外ケース１０へ流出し、流出口より流出する。
【００４４】
＜第３実施例＞
次に、この発明によるさらに別の複箱式接線流羽根車式水道メータについて図９を用いて説明する。なお、この例の複箱式接線流羽根車式水道メータは、第１実施例の複箱式水道メータと比べて、内ケース６１の構成が異なるのみであるので、その他の構成については、説明を省略する。
【００４５】
この例の内ケース６１の下段に設けた複数の流入ノズル６２の断面積は、第２実施例と同様に、全て同一である。また、内ケース６１の上段に設けた複数の流出ノズル６３の断面積も、第２実施例と同様に、全て同一である。そして、流入ノズル６２の流れの方向６２ａが内ケースの外側から内側へ上向きになるように流入ノズル６２を設け、流出ノズル６３の流れの方向６３ａが内ケースの内側から外側へ上向きになるように流出ノズル６３を設ける。
【００４６】
このように構成された複箱式水道メータの内ケース６１内における水道水の流れについて説明する。
【００４７】
図示しない外ケースより流入ノズル６２を通って内ケース６１に流入した水道水は、内ケース６１の外側から内側へ上に向けて流れ、羽根車１８を回転させる。そして、さらに上に向けて流れ、内ケース６１の内側から外側へ上向きに傾けて設けた、流出ノズル６３より図示しない外ケースへ流出し、流出口より流出する。
【００４８】
このとき、流入ノズル６２を内ケース６１の外側から内側へ上向きに傾けて設けるので、流入ノズル６２より流入した水道水は、羽根車１８を回しながら上に向かって流れやすくなり、一方、流出ノズル６３を内ケース６１の内側から外側へ上向きに設けるので、上に向かって流れてきた水道水をスムーズに流出ノズル６３から流出することができる。よって、羽根車１８が安定的に回転し、微流量域において、測定感度が向上する。
【発明の効果】
【００４９】
したがって、請求項１に記載の発明によれば、流入ノズルの断面積を外ケースの流入側から流出側に向かって順次、大きくするので、全ての流入ノズルに単位時間あたりほぼ同じ量の被計量流体を流入させることができ、羽根車が安定的に回転する複箱式計量装置を提供することができる。加えて、羽根車が安定的に回転するので、微流量域において、測定感度が向上する。
【００５０】
請求項２に記載の発明によれば、流出ノズルの流れの方向が流出側に向いてる程度が小さいほど、流出ノズルの断面積を大きくするので、全ての流出ノズルから単位時間あたりほぼ同じ量の被計量流体を流出させることができ、羽根車が一層安定的に回転する複箱式計量装置を提供することができる。
【００５１】
請求項３に記載の発明によれば、前記外ケース内で前記内ケースを偏心させることを特徴とするので、単位時間あたりに全ての流入ノズルにおける流入量をほぼ同一とすることができ、羽根車が安定的に回転する複箱式計量装置を提供することができる。
【００５２】
請求項４に記載の発明によれば、流入ノズルを内ケースの外側から内側へ上向きに傾けて設けるので、流入ノズルより流入した被計量流体は、羽根車を回しながら上に向かって流れやすくなり、一方、流出ノズルを内ケースの内側から外側へ上向きに傾けて設けるので、流入ノズルから上に向かって流れてきた被計量流体をスムーズに流出ノズルから流出することができるので、羽根車が安定的に回転する複箱式計量装置を提供することができる。
【００５３】
請求項５に記載の発明によれば、請求項４の効果に加えて、流入ノズルの断面積を外ケースの流入側から流出側に向かって順次、大きくするので、全ての流入ノズルに単位時間あたりほぼ同じ量の被計量流体を流入させることができ、羽根車が一層安定的に回転する複箱式計量装置を提供することができる。
【００５４】
請求項６に記載の発明によれば、請求項４の効果に加えて、流入ノズルの断面積を外ケースの流入側から流出側に向かって順次、大きくし、かつ、流出ノズルの流れの方向が外ケースの流出側から流入側に向かうに従って、流出ノズルの断面積を順次、大きくするので、羽根車がさらに一層安定的に回転する複箱式計量装置を提供することができる。
【００５５】
請求項７に記載の発明によれば、請求項４の効果に加えて、外ケース内で前記内ケースを偏心させるように設けるので、単位時間あたりに全ての流入ノズルにおける流入量をほぼ同一とすることができ、羽根車が一層安定的に回転する複箱式計量装置を提供することができる。
【図面の簡単な説明】
【図１】この発明の一例としての複箱式接線流羽根車式水道メータの縦断面図である。
【図２】その内ケースの破断斜視図である。
【図３】その流入ノズルの説明図である。
【図４】その流出ノズルの説明図である。
【図５】その流入ノズル付近における横断面図である。
【図６】その流出ノズル付近における横断面図である。
【図７】この発明の複箱式接線流羽根車式水道メータの効果を示す図である。
【図８】この発明の別の複箱式接線流羽根車式水道メータの流入ノズル付近における横断面図である。
【図９】この発明のさらに別の複箱式接線流羽根車式水道メータの内ケースの横断面図である。
【符号の説明】
１０　　外ケース
１４，５１，６１　　内ケース
１６　　ピボット
１８　　羽根車
４１，４１Ａ，４１Ｂ，４１Ｃ，４１Ｄ，４１Ｅ，４１Ｆ，４１Ｇ，４１Ｈ，５１Ａ，５１Ｂ，５１Ｃ，５１Ｄ，５１Ｅ，５１Ｆ，５１Ｇ，５１Ｈ，６２　　流入ノズル
４１ｃ，４２ｃ，６２ａ，６３ａ　　流れの方向
４２，６３　　流出ノズル
【図１】
2004053484.tif 000003
【図２】
2004053484.tif 000004
【図３】
2004053484.tif 000005
【図４】
2004053484.tif 000006
【図５】
2004053484.tif 000007
【図６】
2004053484.tif 000008
【図７】
2004053484.tif 000009
【図８】
2004053484.tif 000010
【図９】
2004053484.tif 000011
【手続補正書】
【提出日】平成14年8月28日(2002.8.28)
【手続補正１】
【補正対象書類名】図面
【補正対象項目名】全図
【補正方法】変更
【補正の内容】
【図１】
2004053484.tif 000012
【図２】
2004053484.tif 000013
【図３】
2004053484.tif 000014
【図４】
2004053484.tif 000015
【図５】
2004053484.tif 000016
【図６】
2004053484.tif 000017
【図７】
2004053484.tif 000018
【図８】
2004053484.tif 000019
【図９】
2004053484.tif 000020